(57)【要約】      （修正有）【課題】シングルレバーの横振り操作に伴って発生するクリック音・クリック感を大きくすることが容易なシングルレバー用カートリッジ及びシングルレバー式湯水混合栓を提供すること。【解決手段】シングルレバーに固定される栓棒と、該栓棒を該栓棒の長手方向に垂直な横軸回りに回動可能に支持する栓棒ガイド２と、該栓棒ガイドを前記横軸に垂直な縦軸回りに回動可能に収容するカバー３と、前記カバーの外面に設けられた凹溝５に装着されるクリック部材４とを具備し、前記凹溝内には前記カバーの外壁を内外に貫く貫通孔６が形成され、前記クリック部材には前記貫通孔を経て前記外壁の内側に至る突出部７が設けられ、前記栓棒ガイドの外周面には、前記栓棒ガイドの前記横軸回りの回動に伴い前記突出部が係脱する係脱部１３が設けられ、該係脱の際にクリック音・クリック感が発生するように構成されている。【選択図】図１
2020046067.tif 000002
【特許請求の範囲】
【請求項１】
シングルレバーに固定される栓棒と、
該栓棒を該栓棒の長手方向に垂直な横軸回りに回動可能に支持する栓棒ガイドと、
該栓棒ガイドを前記横軸に垂直な縦軸回りに回動可能に収容するカバーと、
前記カバーの外面に設けられた凹溝に装着されるクリック部材とを具備し、
前記凹溝内には前記カバーの外壁を内外に貫く貫通孔が形成され、
前記クリック部材には前記貫通孔を経て前記外壁の内側に至る突出部が設けられ、
前記栓棒ガイドの外周面には、前記栓棒ガイドの前記縦軸回りの回動に伴い前記突出部が係脱する係脱部が設けられ、該係脱の際にクリック音・クリック感が発生するように構成されているシングルレバー用カートリッジ。
【請求項２】
前記凹溝内には１個の貫通孔が形成されている一方、前記クリック部材はリング状の半割体に形成され、かつ、前記クリック部材は、正面視上下にそれぞれ形成された１個の内向き凸部よりなる突出部および一つの切欠部と、この突出部から正面視左右両円周方向に切欠部の開放端までそれぞれ延設して形成された円弧部分よりなる腕とを含み、前記１個の突出部は、前記クリック部材を前記凹溝に装着した際に前記１個の貫通孔に係止するとともに、前記１個の突出部から左右両円周方向に延びた前記腕が前記１個の凹溝に弾性的に当接した状態で前記１個の凹溝に装着されている請求項１に記載のシングルレバー用カートリッジ。
【請求項３】
前記カバー内における前記栓棒ガイドの下方には、
湯流入孔、水流入孔及び湯水流出孔を有する固定弁体と、
該固定弁体上を摺動し、両流入孔を前記湯水流出孔に連通させる内部流路を形成するための可動弁体とが配され、
前記栓棒は前記可動弁体に直接又は間接的に係合し、前記シングルレバーの操作に伴って前記栓棒とともに前記可動弁体が動くように構成され、
該可動弁体の位置に応じて、前記両流入孔を経て前記湯水流出孔へと向かう湯水の混合比及び流量が決定され、前記シングルレバーの横振り操作に伴い、前記栓棒が前記栓棒ガイドとともに前記縦軸回りに回動することにより、前記湯水流出孔から流出する湯水の混合比が変わる請求項１または２に記載のシングルレバー用カートリッジ。
【請求項４】
横振り操作により、前記シングルレバーは、前記湯水流出孔から水のみが流出する水吐出領域、湯水の混合水が流出する混合水吐出領域、湯のみが流出する湯吐出領域にわたって移動し、
前記シングルレバーが、前記水吐出領域と前記混合水吐出領域との境に相当する位置、前記混合水吐出領域と前記湯吐出領域との境に相当する位置、又は、前記混合水吐出領域において水と湯とが同率で前記湯水流出孔から流出する位置の少なくとも何れか一つの位置に移動したときに、前記係脱部に前記突出部が係脱してクリック音・クリック感を発生させるように構成されている請求項３に記載のシングルレバー用カートリッジ。
【請求項５】
請求項１〜４の何れか一項に記載のシングルレバー用カートリッジを具備したシングルレバー式湯水混合栓。
【発明の詳細な説明】
【技術分野】
【０００１】
本発明は、例えば、固定弁体と、シングルレバーの操作に伴い固定弁体上を摺動する可動弁体とを有するシングルレバー用カートリッジ及びこれを備えたシングルレバー式湯水混合栓に関する。
【背景技術】
【０００２】
従来、シングルレバー式湯水混合栓として、図１１に示すように、シングルレバー５１（図１２（Ｂ）参照）に固定される栓棒（レバー軸）５２と、栓棒５２を栓棒５２の長手方向に垂直な横軸回りに回動可能に支持する栓棒ガイド（回転体）５３と、栓棒ガイド５３を縦軸回りに回動可能に収容するカバー（ケース本体）５４とを具備し、カバー５４内における栓棒ガイド５３の下方には、湯流入孔５５、水流入孔５６及び湯水流出孔５７を有する固定弁体５８と、固定弁体５８上を摺動し、両流入孔５５，５６を湯水流出孔５７に連通させる内部流路を形成するための可動弁体５９とが配され、栓棒５２は駆動部６０を介して可動弁体５９に係合し、シングルレバー５１の操作に伴って可動弁体５９が動くように構成されたものが知られている（特許文献１の図３等参照）。
【０００３】
この湯水混合栓では、可動弁体５９の位置に応じて、両流入孔５５，５６を経て湯水流出孔５７へと向かう湯水の混合比及び流量が決定され、シングルレバー５１の横振り操作に伴い、栓棒５２が栓棒ガイド５３とともに縦軸回りに回動することにより、湯水の混合比が変わる。
【先行技術文献】
【特許文献】
【０００４】
【特許文献１】特許第５６３７９２５号公報
【発明の概要】
【発明が解決しようとする課題】
【０００５】
ところで、横振り操作によりシングルレバー５１を右側の移動限界位置から左側に向かって移動させると、湯水混合栓は水のみを吐出可能な状態から、湯水の混合水を吐出可能な状態を経て、湯のみを吐出可能な状態に変わるが、こうした湯水の混合比に変化の生じる位置が不明であると、例えば湯水混合栓から水のみを確実に吐出させようとする場合、使用者は、シングルレバー５１を右側の移動限界位置にまで横振り操作した状態にすることが多い。しかし、その後に、湯水の混合水あるいは湯のみを吐出させようとすると、シングルレバー５１を大きく左側に回動させる必要があり、温度調節操作に無駄が多くなるのみならず、その回動操作の間に無駄に吐出される恐れのある湯水も多くなり、湯水の節約の点で問題がある。
【０００６】
また、近年では、湯の使用を最小限度に抑えるようにするといった目的から、シングルレバー５１の横振り操作に係る可動域を左右対称とせずに左側に偏らせ、シングルレバー５１を正面に向けた状態では水のみが吐出可能となるように構成された湯水混合栓も市場に出回っているが、こうした湯水混合栓では、湯水の混合比に変化の生じる位置を示す表記を、例えば水栓本体におけるその位置に対応する箇所（水栓本体の正面から左側の範囲における該当する箇所）に設けても、その表記は水栓本体の正面にいることの多い使用者から見え難いという問題がある。
【０００７】
そこで、視覚によらず聴覚や触覚を利用して湯水の混合比に変化の生じる位置を使用者に知らせるために、図１２（Ａ）〜（Ｃ）に示すようなクリック機構を設けることが考えられる（特許文献１の図９等参照）。このクリック機構は、先端に突起６１を有するピン６２を栓棒ガイド５３に取り付けるとともに、ケース５４の内壁に円弧状の溝６３を設けて、周方向の両端をストッパ６４，６５となし、ピン６２の突起６１がその溝６３内を移動可能とすることにより、ストッパ６４，６５に対する当接によってシングルレバー５１の左右方向の回動を規制しつつ、栓棒ガイド５３に取り付けたピン６２の突起６１が溝６３の底面から栓棒ガイド５３側に突出する断面山形状の係合突起６６を弾性的に乗り越える際にクリック音・クリック感を発生させるようになしたものである。
【０００８】
しかし、上記のクリック機構では、係合突起６６がケース５４の一部として形成されている構造上、発生するクリック音・クリック感の大きさが不十分になり、使用者がそのクリックの生じる位置を認識し損なう恐れがある。
【０００９】
本発明は上述の事柄に留意してなされたもので、その目的は、シングルレバーの横振り操作に伴って発生するクリック音・クリック感を大きくすることが容易なシングルレバー用カートリッジ及びシングルレバー式湯水混合栓を提供することにある。
【課題を解決するための手段】
【００１０】
上記目的を達成するために、本発明に係るシングルレバー用カートリッジは、シングルレバーに固定される栓棒と、該栓棒を該栓棒の長手方向に垂直な横軸回りに回動可能に支持する栓棒ガイドと、該栓棒ガイドを前記横軸に垂直な縦軸回りに回動可能に収容するカバーと、前記カバーの外面に設けられた凹溝に装着されるクリック部材とを具備し、前記凹溝内には前記カバーの外壁を内外に貫く貫通孔が形成され、前記クリック部材には前記貫通孔を経て前記外壁の内側に至る突出部が設けられ、前記栓棒ガイドの外周面には、前記栓棒ガイドの前記縦軸回りの回動に伴い前記突出部が係脱する係脱部が設けられ、該係脱の際にクリック音・クリック感が発生するように構成されている（請求項１）。また、上記シングルレバー用カートリッジにおいて、前記凹溝内には１個の貫通孔が形成されている一方、前記クリック部材はリング状の半割体に形成され、かつ、前記クリック部材は、正面視上下にそれぞれ形成された１個の内向き凸部よりなる突出部および一つの切欠部と、この突出部から正面視左右両円周方向に切欠部の開放端までそれぞれ延設して形成された円弧部分よりなる腕とを含み、前記１個の突出部は、前記クリック部材を前記凹溝に装着した際に前記１個の貫通孔に係止するとともに、前記１個の突出部から左右両円周方向に延びた前記腕が前記１個の凹溝に弾性的に当接した状態で前記１個の凹溝に装着されていてもよい（請求項２）。
【００１１】
上記シングルレバー用カートリッジにおいて、前記カバー内における前記栓棒ガイドの下方には、湯流入孔、水流入孔及び湯水流出孔を有する固定弁体と、該固定弁体上を摺動し、両流入孔を前記湯水流出孔に連通させる内部流路を形成するための可動弁体とが配され、前記栓棒は前記可動弁体に直接又は間接的に係合し、前記シングルレバーの操作に伴って前記栓棒とともに前記可動弁体が動くように構成され、該可動弁体の位置に応じて、前記両流入孔を経て前記湯水流出孔へと向かう湯水の混合比及び流量が決定され、前記シングルレバーの横振り操作に伴い、前記栓棒が前記栓棒ガイドとともに前記縦軸回りに回動することにより、前記湯水流出孔から流出する湯水の混合比が変わってもよい（請求項３）。
【００１２】
上記シングルレバー用カートリッジにおいて、横振り操作により、前記シングルレバーは、前記湯水流出孔から水のみが流出する水吐出領域、湯水の混合水が流出する混合水吐出領域、湯のみが流出する湯吐出領域にわたって移動し、前記シングルレバーが、前記水吐出領域と前記混合水吐出領域との境に相当する位置、前記混合水吐出領域と前記湯吐出領域との境に相当する位置、又は、前記混合水吐出領域において水と湯とが同率で前記湯水流出孔から流出する位置の少なくとも何れか一つの位置に移動したときに、前記係脱部に前記突出部が係脱してクリック音・クリック感を発生させるように構成されていてもよい（請求項４）。
【００１３】
一方、上記目的を達成するために、本発明に係るシングルレバー式湯水混合栓は、請求項１〜４の何れか一項に記載のシングルレバー用カートリッジを具備した（請求項５）。  
【発明の効果】
【００１４】
本願発明では、シングルレバーの横振り操作に伴って発生するクリック音・クリック感を大きくすることが容易なシングルレバー用カートリッジ及びシングルレバー式湯水混合栓が得られる。
【００１５】
すなわち、本願の各請求項に係る発明のシングルレバー用カートリッジでは、クリック音・クリック感を発生させるためにカバーの一部を利用するのではなく、カバーとは別体に設けたクリック部材をカバーの凹溝に装着し、カバーの外面に露出させ、振動し易くしたことにより、シングルレバーの横振り操作に伴って発生するクリック音・クリック感を大きくすることが容易となる。しかも、クリック部材をカバーとは別体としたので、それだけクリック部材の材料の選択肢は広がり、例えば比較的大きなクリック音・クリック感を発生させると考えられる金属等の材料でクリック部材を構成すれば、上記効果を確実に得ることが可能である。
【図面の簡単な説明】
【００１６】
【図１】本発明の一実施の形態に係るシングルレバー用カートリッジの構成を概略的に示す説明図である。
【図２】（Ａ）〜（Ｅ）は、前記シングルレバー用カートリッジのカバーの構成を概略的に示す平面図、正面図、底面図、側面図及び縦断面図である。
【図３】（Ａ）〜（Ｅ）は、前記シングルレバー用カートリッジの栓棒ガイドの構成を概略的に示す平面図、正面図、底面図、側面図及び縦断面図である。
【図４】（Ａ）及び（Ｂ）は、前記シングルレバー用カートリッジのクリック部材の構成を概略的に示す側面図及び正面図である。
【図５】本発明の他の実施の形態に係るシングルレバー用カートリッジの構成を概略的に示す説明図である。
【図６】（Ａ）〜（Ｅ）は、上記他の実施の形態に係るシングルレバー用カートリッジのカバーの構成を概略的に示す平面図、正面図、底面図、側面図及び（Ｂ）のＡ−Ａ線切断縦断面図である。
【図７】（Ａ）及び（Ｂ）は、上記他の実施の形態に係るシングルレバー用カートリッジのクリック部材の構成を概略的に示す側面図及び正面図である。
【図８】（Ａ）〜（Ｆ）は、上記他の実施の形態に係るシングルレバー用カートリッジの栓棒ガイドの構成を概略的に示す平面図、正面図、底面図、（Ｂ）のＡ−Ａ線切断縦断面図及び（Ｄ）のＢ−Ｂ線切断縦断面図である。
【図９】上記他の実施の形態に係るシングルレバー用カートリッジの構成を栓棒を取り付けた状態で概略的に示す説明図である。
【図１０】上記他の実施の形態で用いられるカバーを示す斜視図である。
【図１１】シングルレバー用カートリッジの従来例の構成を示す分解斜視図である。
【図１２】（Ａ）はシングルレバー用カートリッジの従来例の構成を示す正面図、（Ｂ）は（Ａ）のＢ−Ｂ線切断断面図、（Ｃ）は（Ｂ）の要部拡大図である。
【発明を実施するための形態】
【００１７】
本発明の実施の形態について図面を参照しながら以下に説明する。
【００１８】
本実施の形態に係るシングルレバー式湯水混合栓（以下、単に「湯水混合栓」という））は、内蔵するシングルレバー用カートリッジ（以下、単に「カートリッジ」という）１の栓棒ガイド２、カバー３及びクリック部材４の構成に主な特徴を有するものであり、他の構成には、例えば図１１に示すような公知の構成を採用可能である。
【００１９】
すなわち、図１１の湯水混合栓では、カバー５４内における栓棒ガイド５３の下方に、湯流入孔５５、水流入孔５６及び湯水流出孔５７を有する固定弁体５８と、固定弁体５８上を摺動し、両流入孔５５，５６を湯水流出孔５７に連通させる内部流路を形成するための可動弁体５９とが配され（収容され）、栓棒５２は駆動部６０を介して可動弁体５９に係合し、シングルレバー５１（図１２（Ｂ）参照）の操作に伴って栓棒５２、駆動部６０及び可動弁体５９が動くように構成され、可動弁体５９の位置に応じて、両流入孔５５，５６を経て湯水流出孔５７へと向かう湯水の混合比及び流量が決定され、シングルレバー５１の横振り操作に伴い、栓棒５２が栓棒ガイド５３とともに縦軸回りに回動することにより、湯水流出孔５７から流出する湯水の混合比が変わる。そして、本実施形態の湯水混合栓は、栓棒ガイド５３及びカバー５４を栓棒ガイド２及びカバー３に置換したものであり、図１１の湯水混合栓が有する機能を同様に持っている。
【００２０】
そこで、以下では、カートリッジ１につき、上記部材２〜４の構成を中心に説明する。  
【００２１】
まず、カートリッジ１は、縦振り操作及び横振り操作されるシングルレバー５１（図１２（Ｂ）参照）に固定される栓棒５２（図１１参照）と、栓棒５２の中間部を栓棒５２の長手方向に垂直な横軸（本例では水平軸）回りに回動可能に支持する栓棒ガイド２と、栓棒ガイド２を前記横軸に垂直な縦軸（本例では鉛直軸）回りに回動可能に収容するカバー３と、カバー３の外壁に設けられた左右対称な凹溝５に装着される弾性を有する左右対称なクリック部材４とを具備する（図１参照）。なお、図１では、カバー３を無色、栓棒ガイド２を薄い灰色、クリック部材４を濃い灰色で示している。
【００２２】
詳述すると、図２（Ａ）〜（Ｅ）に示すように、カバー３は、上下に開口した略円筒状の部材であり、下部より外径の小さい上部の外面には、周方向に延びる凹溝５が設けられ、さらに凹溝５内にはカバー３の外壁を内外に貫く貫通孔６が形成される。図示例では、凹溝５の両端付近にそれぞれ貫通孔６（すなわち計二つの貫通孔６）が左右対称となるように形成されている。ここで、二つの貫通孔６は、カバー３の周方向に相互に１８０°離れている。
【００２３】
これに対して、図４（Ａ）及び（Ｂ）に示すように、クリック部材４は、凹溝５に装着可能な形状を呈する板ばね状の部材であり、凹溝５に装着した状態で各貫通孔６を経てカバー３の外壁の内側に至る突出部７を有する。そして、各突出部７は、クリック部材４を凹溝５に装着した際に貫通孔６に係止して凹溝５からクリック部材４が外れるのを防止する抜け止め部としても機能する。
【００２４】
一方、栓棒ガイド２は、図３（Ａ）〜（Ｅ）に示すように、略円柱状の上部と、この上部より外径の大きい下部とを有し、その上下に貫くように栓棒５２（図５参照）を差し込み可能に構成され、栓棒５２に設けられた貫通孔８と、栓棒ガイド２に設けられた貫通孔９とにわたって図外の支持ピンを差し込むことにより、栓棒５２は栓棒ガイド２によって横軸回りに回動可能に支持されることになる。
【００２５】
また、栓棒ガイド２をカバー３の下方から内部に挿入すると、栓棒ガイド２の上部はカバー３の上部内に収まり、栓棒ガイド２の下部はカバー３の上部と下部の境界にある段部１０（図２（Ｃ）及び（Ｅ）参照）に当接し、カバー３の上部内には至らない。そして、カバー３の下方から内部に挿入した状態の栓棒ガイド２は、カバー３内において摺動により縦軸回りに回動可能であるが、その回動を規制するため、栓棒ガイド２の下部には側方に突出する突起１１を設けるとともに、カバー３の内壁には突起１１に横側から当接可能なストッパ１２を設けてある。すなわち、栓棒ガイド２をカバー３の下方から内部に挿入する際、ストッパ１２を避けた位置に突起１１が収まるように栓棒ガイド２をカバー３内に進入させればよい。なお、本例では、突起１１、ストッパ１２をそれぞれ二つずつ設けてあり、突起１１どうし、ストッパ１２どうしは、相互に１８０°離れた位置にある。
【００２６】
さらに、栓棒ガイド２の上部の外周面には、カバー３に収容保持された栓棒ガイド２の縦軸回りの回動に伴い、カバー３の内側に突出したクリック部材４の突出部７が係脱する係脱部１３（図３（Ａ）、（Ｂ）、（Ｄ）参照）が栓棒ガイド２の軸心まわりに点対称となるように設けられ、該係脱の際にクリック音・クリック感が発生するように構成されている。本例では、各突出部７に対応する係脱部１３を二つずつ（すなわち計四つ）設け、各係脱部１３は栓棒ガイド２の外周面から外側に向かって凸の突起として構成されている。
【００２７】
上記のように構成された本実施形態の湯水混合栓及びカートリッジ１では、クリック音・クリック感を発生させるためにカバー３の一部を利用するのではなく、カバー３とは別体に設けたクリック部材４をカバー３の凹溝５に装着し、カバー３の外面に露出させ、振動し易くしたことにより、シングルレバー５１の横振り操作に伴って発生するクリック音・クリック感を大きくすることが容易となる。しかも、クリック部材４をカバー３とは別体としたので、それだけクリック部材４の材料の選択肢は広がり、例えば比較的大きなクリック音・クリック感を発生させると考えられる金属等の材料でクリック部材４を構成すれば、上記効果を確実に得ることが可能である。
【００２８】
ところで、図１１の例と同様に、本実施形態の湯水混合栓では、横振り操作により、シングルレバー５１を右側の移動限界位置から左側に向かって移動させると、水のみを吐出可能な状態から、湯水の混合水を吐出可能な状態を経て、湯のみを吐出可能な状態に変わり、逆に、左側の移動限界位置から右側に向かって移動させると、湯のみを吐出可能な状態から、湯水の混合水を吐出可能な状態を経て、水のみを吐出可能な状態に変わる。つまり、横振り操作により、シングルレバー５１は、湯水流出孔５７から水のみが流出する（湯水混合栓が水のみを吐出可能とする）水吐出領域、湯水の混合水が流出する（湯水の混合水のみを吐出可能とする）混合水吐出領域、湯のみが流出する（湯のみを吐出可能とする）湯吐出領域にわたって移動するのであり、本実施形態の湯水混合栓は、シングルレバー５１が水吐出領域及び混合水吐出領域の境に相当する位置と、混合水吐出領域及び湯吐出領域の境に相当する位置とに移動したときに、係脱部１３にクリック部材４の突出部７が係脱してクリック音・クリック感を発生させるように構成されている。
【００２９】
従って、本実施形態の湯水混合栓では、クリック音・クリック感により、シングルレバー５１が水吐出領域、混合水吐出領域、湯吐出領域の何れにあるかを認識することができるので、使用性に優れ、ひいては湯水の節約を図ることも可能となる。
【００３０】
なお、本発明は、上記の実施の形態に何ら限定されず、本発明の要旨を逸脱しない範囲において種々に変形して実施し得ることは勿論である。例えば、以下のような変形例を挙げることができる。
【００３１】
上記実施形態では、栓棒５２は、駆動部６０を介して可動弁体５９に間接的に係合しているが、これに限らず、可動弁体５９に直接係合していてもよい。要はシングルレバー５１の操作に伴って栓棒５２とともに可動弁体５９が動くように構成されていればよい。
【００３２】
上記実施形態では、クリック部材４の突出部７が凸の突起として構成されているのに対し、各係脱部１３を栓棒ガイド２の外周面から外側に向かって凸の突起として構成し、突出部７（凸）及び係脱部１３（凸）の一方が他方を乗り越える際にクリック音・クリック感が生じるようにしているが、これに限らず、例えば、係脱部１３を外周面において内側に窪んだ凹みとして構成し、突出部７（凸）と係脱部１３（凹）とが嵌合する際にクリック音・クリック感が生じるようにしてもよい。要は係脱部１３にクリック部材４の突出部７が係脱してクリック音・クリック感を発生させるように構成してあればよい。従って、係脱部１３及び突出部７を構成する凹凸の形状、大きさを変えることで、クリック音・クリック感を調節するようにしてもよい。
【００３３】
上記実施形態では、シングルレバー５１が水吐出領域及び混合水吐出領域の境に相当する位置と、混合水吐出領域及び湯吐出領域の境に相当する位置とに移動したときに、係脱部１３にクリック部材４の突出部７が係脱してクリック音・クリック感を発生させるように構成されているが、これに限らず、シングルレバー５１がどの位置にきたときにクリック音・クリック感を発生させるかは、簡単には係脱部１３の位置・数を変更する（これに加えて、又はこれに替えて、貫通孔６及び突出部７の位置・数を変更するようにしてもよい）ことにより任意に決定可能であり、例えば、シングルレバー５１が、水吐出領域と混合水吐出領域との境に相当する位置、混合水吐出領域と湯吐出領域との境に相当する位置、又は、混合水吐出領域において水と湯とが同率で湯水流出孔５７から流出する位置の少なくとも何れか一つの位置に移動したときに、係脱部１３に突出部７が係脱してクリック音・クリック感を発生させるように構成することが考えられる。
【００３４】
上記実施形態では、二つの突出部７がそれぞれ係脱部１３に係脱してクリック音・クリック感を略同時に発生させるようにしているが、これに限らず、例えば、二つの突出部７の何れか一方のみが係脱部１３に係脱してクリック音・クリック感を発生させるように構成してもよい。また、凹溝５に対するクリック部材４の装着に支障を来さなければ、例えば突出部７を一つのみ設けるようにしてもよいし、逆に突出部７を三つ以上設けるようにしてもよい。
【００３５】
図５〜図１０は、本発明の他の実施の形態（第２実施例）を示す。なお、図５〜図１０において、図１〜図４に示した符号と同一のものは、同一又は相当物を示す。
【００３６】
この実施形態では、係脱部にクリック部材の突出部が係脱してクリック音・クリック感を発生させるにあたり、カバー３の上部の外面に、周方向に延びる凹溝５を設け、この凹溝５内にカバー３の外壁を内外に貫く単一の貫通孔６を形成し、該単一の貫通孔６を経てカバー３の前記外壁の内側に至る単一の突出部７をクリック部材に設ける一方、栓棒ガイド２の上部の外周面に前記単一の突出部７に対応する凸状（または凹状）の係脱部１３を少なくとも二つ設け、さらに、該係脱部１３をこれらが隣接した状態で栓棒ガイド２の上部の外周面に設け、前記係脱部１３に前記単一の突出部７が係脱してクリック音・クリック感を発生させるように構成されている。
【００３７】
この実施形態に係るシングルレバー式湯水混合栓は、内蔵するシングルレバー用カートリッジ１の栓棒ガイド２、カバー３及びクリック部材４の構成に主な特徴を有するものであり、他の構成には、例えば図１１に示すような公知の構成を採用可能である。
【００３８】
すなわち、シングルレバー５１の横振り操作に伴い、栓棒５２が栓棒ガイド５３とともに縦軸回りに回動することにより、湯水流出孔５７から流出する湯水の混合比が変わる。そして、この実施形態の湯水混合栓は、栓棒ガイド５３及びカバー５４を栓棒ガイド２及びカバー３に置換したものであり、図１１の湯水混合栓が有する機能を同様に持っている。
【００３９】
カートリッジ１は、縦振り操作及び横振り操作されるシングルレバー５１（図１２（Ｂ）参照）に固定される栓棒５２（図１１参照）と、栓棒５２の中間部を栓棒５２の長手方向に垂直な横軸（本例では水平軸）回りに回動可能に支持する栓棒ガイド２と、栓棒ガイド２を前記横軸に垂直な縦軸（本例では鉛直軸）回りに回動可能に収容するカバー３と、カバー３の外壁に設けられた左右対称な凹溝５に装着される弾性を有する左右対称なクリック部材４とを具備する（図５参照）。なお、図５では、図１と同様にカバー３を無色、栓棒ガイド２を薄い灰色、クリック部材４を濃い灰色で示している。
【００４０】
詳述すると、図６（Ａ）〜（Ｅ）に示すように、カバー３は、上下に開口した略円筒状の部材であり、下部より外径の小さい上部の外面Ｔには、周方向に延びる凹溝５が設けられ、さらに凹溝５内にはカバー３の外壁を内外に貫く１個の貫通孔６が形成されている。１個の貫通孔６は、図６（Ｂ）に示すように、正面視中央部に設けられている中央貫通孔である。この貫通孔６は、全周に渡って囲繞部を有するものではないが、この発明にいう貫通「孔」は、このような場合（いわば切欠状）のものも含む。
【００４１】
なお、この実施形態のカバー３の全体形状は、大きさを含めて、図２（Ａ）〜（Ｅ）に示した上記実施形態のカバー３と基本的に変わりはないが、図６（Ｂ）の凹溝５の高さｈは、図２（Ｂ）の凹溝５の高さｈ’よりも大きく設定している。
【００４２】
一方、図７（Ａ）及び（Ｂ）に示すように、クリック部材４は、凹溝（高さｈ）５に装着可能な所定高さＨ（＜ｈ）の形状を呈する板ばね状の部材であり、凹溝５に装着した状態で貫通孔６を経てカバー３の外壁の内側に至る１個の突出部７を有する。
【００４３】
所定高さＨを有するクリック部材４は図７（Ｂ）に示すような形状に形成されている。
【００４４】
クリック部材４は、正面視上下にそれぞれ形成された１個の内向き凸部（突出部）７および一つの切欠部７ａと、突出部７から正面視左右両円周方向に切欠部７ａを構成する一対の開放端ｍ，ｎ（図９参照）までそれぞれ延設して形成された円弧部分よりなる腕７ｂ．７ｂとを含む。そして、１個の突出部７は、クリック部材４を凹溝５に装着した際に１個の貫通孔６に係止するとともに、突出部７から左右両円周方向に延びた腕７ｂ．７ｂが凹溝５に弾性的に当接した状態で凹溝５に装着され、これにより、突出部７とともに、腕７ｂ．７ｂは凹溝５からクリック部材４が外れるのを防止する抜け止め部として機能する。そのため、抜け止め機能の向上に繋がる。
【００４５】
そして、この実施形態では、頻繁に施されるクリック操作の際に主として突出部７だけに応力が集中してかかり、その結果、突出部７が変形し、その変形で最悪突出部７を含むクリック部材４が折れやすくなるのを回避する工夫（応力の分散効果）、すなわち、応力の分散可能な領域を広げる工夫が施されている。
【００４６】
上述したようにこの実施形態のクリック部材４では、正面視上下にそれぞれ１個の突出部７、一つの切欠部７ａを設け、突出部７を介して正面視左右にそれぞれ腕７ｂ．７ｂを設けている。つまり、クリック部材４には、クリック部材４を正面からみて、中心軸線Ｓに対して左右対称な位置に同一円周長さの腕７ｂ．７ｂが設けられている。
【００４７】
腕７ｂは、それぞれ突出部７から反対方向へ円周に沿って延び切欠部７ａの開放端ｍ，ｎに至る略円周角でいえば１８０°に近い円周長さに相当する長さに形成されている。
【００４８】
そのために、この実施形態では、シングルレバーの横振り操作によってリック部材４に発生した応力が突出部７と左右一対の腕７ｂ．７ｂとに分散し、左右一対の腕７ｂ．７ｂを設けた分だけ、応力が分散する領域（範囲）を広げることができる。すなわち、突出部７にかかる応力が前記円周長さに相当する長さを持つ左右一対の腕７ｂ．７ｂにも均等に分散する。
【００４９】
而して、板ばね状のクリック部材４の特徴的構成により、クリック部材４のばね寿命を延ばすことができ、突出部７の変形で、突出部７を含むクリック部材４を折れにくくでき、性能改善に貢献できる。
【００５０】
併せて、この実施形態では、図４（Ｂ）のクリック部材４の内径と厚みＲ（外径と内径の差）は同一寸法でも、クリック部材４の高さＨを図４（Ａ）のクリック部材４の高さＨ’よりも長く（高く）設定しているので、シングルレバーの横振り操作により発生する前記応力の分散効果に寄与できる。
【００５１】
一方、栓棒ガイド２は、図８（Ａ）〜（Ｆ）に示すように、略円柱状の上部と、この上部より外径の大きい下部とを有し、その上下に貫くように栓棒５２（図９、図１１参照）を差し込み可能に構成され、栓棒５２に設けられた貫通孔８と、栓棒ガイド２に設けられた貫通孔９とにわたって図外の支持ピンを差し込むことにより、栓棒５２は栓棒ガイド２によって横軸回りに回動可能に支持されることになる。
【００５２】
また、栓棒ガイド２をカバー３の下方から内部に挿入すると、栓棒ガイド２の上部はカバー３の上部内に収まり、栓棒ガイド２の下部はカバー３の上部と下部の境界にある段部１０（図６（Ｃ）及び（Ｅ）、図１０参照）に当接し、カバー３の上部内には至らない。そして、カバー３の下方から内部に挿入した状態の栓棒ガイド２は、カバー３内において摺動により縦軸回りに回動可能であるが、その回動を規制するため、栓棒ガイド２の下部には側方に突出する突起１１を設けるとともに、カバー３の内壁には突起１１に横側から当接可能なストッパ１２を設けてある。すなわち、栓棒ガイド２をカバー３の下方から内部に挿入する際、ストッパ１２を避けた位置に突起１１が収まるように栓棒ガイド２をカバー３内に進入させればよい。なお、本例では、突起１１、ストッパ１２をそれぞれ二つずつ設けてあり、突起１１どうし、ストッパ１２どうしは、相互に１８０°離れた位置にある。
【００５３】
さらに、栓棒ガイド２の上部の外周面には、カバー３に収容保持された栓棒ガイド２の縦軸回りの回動に伴い、カバー３の内側に突出したクリック部材４に１個だけ形成されている突出部７が係脱する係脱部１３（図８（Ａ）、（Ｂ）、（Ｄ）、図９参照）が、栓棒ガイド２の上部の外周面において所定円周角θに相当する円周長さの範囲にだけ複数個、これらが隣接した状態で鋸歯状波的に設けられており、該係脱の際にクリック音・クリック感が発生するように構成されている。本例では、１個の突出部７に対応する係脱部１３を栓棒ガイド２の上部の外周面の円周方向に連続的に三つ設け、各係脱部１３は栓棒ガイド２の外周面から外側に向かって凸の突起として構成されているが、栓棒ガイド２の外周面から凹ませて凹状に形成してもよい。
【００５４】
上記のように構成されたこの実施形態の湯水混合栓及びカートリッジ１でも、図１に示すカートリッジ１と同様の作用効果を奏する。図５、図９に示すカートリッジ１では、クリック音・クリック感を発生させるためにカバー３の一部を利用するのではなく、カバー３とは別体に設けたクリック部材４をカバー３の凹溝５に装着し、カバー３の外面に露出させ、振動し易くしたことにより、シングルレバー５１の横振り操作に伴って発生するクリック音・クリック感を大きくすることが容易となる。しかも、クリック部材４をカバー３とは別体としたので、それだけクリック部材４の材料の選択肢は広がり、例えば比較的大きなクリック音・クリック感を発生させると考えられる金属等の材料でクリック部材４を構成すれば、上記効果を確実に得ることが可能である。
【００５５】
なお、本明細書で挙げた変形例どうしを適宜組み合わせてもよいことはいうまでもない。
【符号の説明】
【００５６】
１    カートリッジ
２    栓棒ガイド
３    カバー
４    クリック部材
５    凹溝
６    貫通孔
７    突出部
８    貫通孔
９    貫通孔
１０    段部
１１    突起
１２    ストッパ
１３    係脱部
５１    シングルレバー
５２    栓棒
５３    栓棒ガイド
５４    カバー
５５    湯流入孔
５６    水流入孔
５７    湯水流出孔
５８    固定弁体
５９    可動弁体
６０    駆動部
６１    突起
６２    ピン
６３    溝
６４    ストッパ
６５    ストッパ
【図１】
2020046067.tif 000003
【図２】
2020046067.tif 000004
【図３】
2020046067.tif 000005
【図４】
2020046067.tif 000006
【図５】
2020046067.tif 000007
【図６】
2020046067.tif 000008
【図７】
2020046067.tif 000009
【図８】
2020046067.tif 000010
【図９】
2020046067.tif 000011
【図１０】
2020046067.tif 000012
【図１１】
2020046067.tif 000013
【図１２】
2020046067.tif 000014